(57)【要約】      （修正有）【課題】ヘッドバンド部及びヘッドホン本体の支持部をより小型に折り畳むことができるようにしたヘッドホンを提供する。【解決手段】ばね性のバンド本体部と、該バンド本体部の両端部に配置される長さ調節用バンド片と、該長さ調節用バンド片が挿入されて該長さ調節用バンド片の差し込み長さを調節できるようにした鞘管部材と、前記鞘管部材の端部に取り付けられていて該鞘管部材の端部を支点として垂直方向に回動自在であり、所定の回動位置でクリック停止できる関節部材と、該間接部材の端部に水平方向に揺動自在となるように中間部が軸支され、前記ヘッドホン本体のそれぞれの外側縁部を該ヘッドホン本体が回動自在となるように二点支持する略半円状の支持アームとを備えている。【選択図】図１
0003138079.tif 000002
【実用新案登録請求の範囲】
【請求項１】
ヘッドバンド部と該ヘッドバンド部の両端部に取付部材を介して取り付けられる左右のヘッドホン本体とで構成され、携帯や収納時に折り畳み可能として小型化できるヘッドホンにおいて、前記ヘッドバンド部は、頭部に当接するばね性のバンド本体部と、該バンド本体部の両端部に配置される長さ調節用バンド片と、前記バンド本体部の両端部と前記長さ調節用バンド片の一端部とを連結し、前記バンド本体部の端部が１８０゜回動可能に枢支される連結部材と、前記長さ調節用バンド片の他端部がスライド自在に挿入されると共に所定のスライド位置でクリック的に前記調節用バンド片のスライドを停止させることにより、該長さ調節用バンド片の差し込み長さを調節できるようにした鞘管部材とで構成され、前記取付部材は、前記鞘管部材の端部に取り付けられていて該鞘管部材の端部を支点として垂直方向に回動自在であり、所定の回動位置でクリック停止できる関節部材と、該間接部材の端部に水平方向に揺動自在となるように中間部が軸支され、前記ヘッドホン本体のそれぞれの外側縁部を該ヘッドホン本体が回動自在となるように二点支持する略半円状の支持アームとからなっていることを特徴とするヘッドホン。
【請求項２】
長さ調節用バンド片がその一端部で内側に折り曲げられていることを特徴とする請求項１に記載のヘッドホン。
【考案の詳細な説明】
【技術分野】
【０００１】
本考案はヘッドバンドを備えたヘッドホンに係り、携帯や収納に際して小型に折り畳むことができるヘッドホンに関するものである。
【背景技術】
【０００２】
従来より、ヘッドバンド部及びヘッドホン本体の支持部を折り畳むことにより、携帯や収納時に小型化できるようにしたヘッドホンが提案されており、この場合、ヘッドホン本体の支持部をヘッドバンド部側に折り畳むことによりヘッドホン本体をヘッドバンド部の内側に折り畳むようにしたもの（特許文献１）や、さらに、ヘッドバンドを中間部から折り曲げることによりより小型に折り畳むようにしたもの（特許文献２）などがある。
【特許文献１】特許第３６４９５３９号特許公報
【特許文献２】特開２０００−１３４６８５
【考案の開示】
【考案が解決しようとする課題】
【０００３】
特許文献１に記載のものは、ヘッドホン本体をＵ字状のハンガーで支持し、一対のヘッドホン本体を連結するヘッドバンド部は、ヘッドアームとその両端にスライド可能に連結されたスライダとで構成してその長さを調節可能とし、前記ハンガーとスライダとをスライダの先端部に設けた回動連結部材で連結するようにしている。
【０００４】
このため、特許文献１に記載のものでは、前記スライダをスライドさせてヘッドバンド部の長さを短くしたとしても、ヘッドバンド部の全長を充分に短くすることができない。
【０００５】
また、特許文献２に記載のものでは、ヘッドバンドを第１のヘッドバンド部材と第２のヘッドバンド部材とを屈曲自在に連結して中間で折り畳むことができるようになっているため、第１，第２のヘッドバンド部材の素材がプラスチック素材等であるとヘッドバンド部の屈曲部が脆弱となり、また、保持効果が弱くなる。
【０００６】
本考案が解決しようとする課題は、前記特許文献１，２に記載のものの難点を改良し、ヘッドバンド部及びヘッドホン本体の支持部をより小型に折り畳むことができるようにしたヘッドホンを提供することである。
【課題を解決するための手段】
【０００７】
本考案は、上記課題を解決するために、ヘッドバンド部と該ヘッドバンド部の両端部に取付部材を介して取り付けられる左右のヘッドホン本体とで構成され、携帯や収納時に折り畳み可能として小型化できるヘッドホンにおいて、
前記ヘッドバンド部は、頭部に当接するばね性のバンド本体部と、該バンド本体部の両端部に配置される長さ調節用バンド片と、前記バンド本体部の両端部と前記長さ調節用バンド片の一端部とを連結し、前記バンド本体部の端部が１８０゜回動可能に枢支される連結部材と、前記長さ調節用バンド片の他端部がスライド自在に挿入されると共に所定のスライド位置でクリック的に前記調節用バンド片のスライドを停止させることにより、該長さ調節用バンド片の差し込み長さを調節できるようにした鞘管部材とで構成され、前記取付部材は、前記鞘管部材の端部に取り付けられていて該鞘管部材の端部を支点として垂直方向に回動自在であり、所定の回動位置でクリック停止できる関節部材と、該間接部材の端部に水平方向に揺動自在となるように中間部が軸支され、前記ヘッドホン本体のそれぞれの外側縁部を該ヘッドホン本体が回動自在となるように二点支持する略半円状の支持アームとからなっている。
らなっている。
【０００８】
折り曲げ時に前記バンド本体部と長さ調節用バンド片との干渉を回避するために、長さ調節用バンド片の一端部で内側に折り曲げることが望ましい。
【考案の効果】
【０００９】
本考案のヘッドホンによれば、ヘッドバンド部と該ヘッドバンド部の両端部に取付部材を介して取り付けられる左右のヘッドホン本体とで構成され、携帯や収納時に折り畳み可能として小型化できるヘッドホンにおいて、
ヘッドバンド部は、頭部に当接するばね性のバンド本体部と、該バンド本体部の両端部に配置される長さ調節用バンド片と、前記バンド本体部の両端部と前記長さ調節用バンド片の一端部とを連結し、前記バンド本体部の端部が１８０゜回動可能に枢支される連結部材と、前記長さ調節用バンド片の他端部がスライド自在に挿入されると共に所定のスライド位置でクリック的に前記調節用バンド片のスライドを停止させることにより、該長さ調節用バンド片の差し込み長さを調節できるようにした鞘管部材とで構成されているから、通常の使用時には長さ調節用バンド片を鞘管部材内に押し込み、あるいは鞘管部材から引き出してヘッドバンド部の長さを調節し、該ヘッドバンド部を頭部に装着すると共に左右のヘッドホン本体をそれぞれ耳に押し当てて使用することができる。
【００１０】
また、前記取付部材は、前記鞘管部材の端部に取り付けられていて該鞘管部材の端部を支点として垂直方向に回動自在であり、所定の回動位置でクリック停止できる関節部材と、該間接部材の端部に水平方向に揺動自在となるように中間部が軸支され、前記ヘッドホン本体のそれぞれの外側縁部を該ヘッドホン本体が回動自在となるように二点支持する略半円状の支持アームとからなっているから、携帯時やケース等への収納時等に小型化する場合には、前記長さ調節用バンド片を鞘管部材内に押し込んで短くし、左右のヘッドホン本体を関節部材を介して前記鞘管部材の内側に添わせるように折り曲げて中間折り曲げ状態とし、次にバンド本体部を関節部材の枢支部から折り曲げてバンド本体部の円弧が前記鞘管部材の外側に位置するように折り曲げて最終折り曲げ状態とすることにより、きわめてコンパクトに折り畳むことができる。
【００１１】
この場合、長さ調節用バンド片をその一端部で内側に折り曲げた形態としておくことにより、前記バンド本体部を折り曲げた際に該バンド本体部と長さ調節用バンド片との干渉を良好に回避することができる。
【実施例】
【００１２】
本考案に係るヘッドホンの実施例を図面に基づいて説明する。図１は正面図、図２は背面図、図３はバンド本体部と長さ調節用バンド片及び連結部材の関連を示す一部除去した斜視図、図４は鞘管部材と関節部材及び支持アームの関連を示す一部除去した斜視図、図５は鞘管部材の断面図、図６はヘッドホンの中間折り畳み状態を示す正面図、図７はヘッドホンの最終折り畳み状態を示す正面図である。
【００１３】
本考案のヘッドホンは、ヘッドバンド部１と該ヘッドバンド部１の両端部に取付部材３を介して取り付けられる左右のヘッドホン本体２、２とで構成され、携帯や収納時に折り畳み可能として小型化できるヘッドホンである。
【００１４】
前記ヘッドバンド部１は、頭部に当接するばね性のバンド本体部１１と、該バンド本体部１１の両端部に配置される長さ調節用バンド片１３と、前記バンド本体部１１の両端部１１ａと前記長さ調節用バンド片１３の一端部１３ａとを連結し、前記バンド本体部１１の一端部１１ａが１８０゜回動可能に枢支される連結部材１２と、前記長さ調節用バンド片１３の他端部１３ｂがスライド自在に挿入されると共に所定のスライド位置でクリック的に前記調節用バンド片１３のスライドを停止させることにより、該長さ調節用バンド片１３の差し込み長さを調節できるようにした鞘管部材１４とで構成されている。
【００１５】
前記バンド本体部１１及び長さ調節用バンド片１３は鋼材による薄板で形成され、前記ヘッドホン本体２、２を耳に当接して保持できる所定の弾性を有するものとする。連結部材１２はプラスチック製であり、図３に示すように、断面Ｌ型の外側部材１２ｂと板状の内側部材１２ｃを組み合わせて一側面(上側面)に溝１２ｄが形成されるようになっており、前記バンド本体部１１の一端部１１ａをビスで枢支することにより、前記バンド本体部１１が１８０゜回動可能になっている。なお、前記長さ調節用バンド片１３の一端部１３ａは、図３に示すように、連結部材１２の近傍で内側に「く」字状に屈曲されており、前記バンド本体部１１を折り曲げた際に該バンド本体部１１との干渉が避けられるようになっている。
【００１６】
前記鞘管部材１４はアルミ材で形成され、図５に示すように、横方向に屈曲した端部にヘッド部１４ａを有する断面凹状の本体部材１４ｂと該本体部材１４ｂの凹部を覆う蓋部材１４ｃとで形成され、従来より一般的に採用されているように、前記長さ調節用バンド片１３の一側面には多数のギザ(図示しない)が形成されると共に該ギザに対応するように前記ギザに係合する突部(図示しない)を有する板バネ部材１４ｄが配置されていて、前記長さ調節用バンド片１３が所定のスライド位置でクリック的に停止できるようになっている。
【００１７】
取付部材３は、前記鞘管部材１４の端部のヘッド部１４ａに取り付けられていて該鞘管部材１４のヘッド部１４ａを支点として垂直方向に回動自在であり、所定の回動位置でクリック停止できる関節部材１５と、該間接部材１５の端部に水平方向に揺動自在となるように中間部が軸支され、前記ヘッドホン本体２、２のそれぞれの外側縁部２ａを該ヘッドホン本体２が回動自在となるように二点支持する略半円状の支持アーム１６とからなっている。
【００１８】
前記関節部材１５はアルミ材で形成され、図４に示すように、前記鞘管部材１４のヘッド部１４ａに回転自在に取り付けられた横向き駒部１５ａと、該横向き駒部１５ａの下部側に突設した縦向き駒部１５ｂと、該縦向き駒部１５ｂの下部に該縦向き駒部１５ｂを中心として切欠部１５ｄの範囲内で回動できて揺動可能となっている支持駒部１５ｃとで構成され、前記横向き駒部１５ａは前記ヘッド部１４ａに対し任意の回転位置でクリック的に位置決め保持されるようになっている。
【００１９】
前記支持アーム１６はアルミ材からなり、略半円状の中間部が前記支持駒部１５ｃに固定され、両端部をアルミ材からなるヘッドホン本体２，２の外側縁部２ａに設けた取付孔２ｂに挿入することによりヘッドホン本体２、２を保持している。
が回転自在に取り付けられる。
【００２０】
以上のような構成において、通常の使用時には、図１に示すように、長さ調節用バンド片１３を鞘管部材１４内に押し込み、あるいは鞘管部材１４から引き出してヘッドバンド部１の長さを調節し、該ヘッドバンド部１を頭部に装着すると共に左右のヘッドホン本体２、２をそれぞれ耳に押し当てて使用することができる。
【００２１】
また、携帯時やケース等への収納時等に小型化する場合には、前記長さ調節用バンド片１３を鞘管部材１４内に押し込んで短くし、左右のヘッドホン本体２、２を関節部材１５を介して前記鞘管部材１４の内側に添わせるように折り曲げて、図６に示すような中間折り曲げ状態とし、次にバンド本体部１１を関節部材１２の枢支部１２ａから折り曲げてバンド本体部１１の円弧が前記鞘管部材１４の外側に位置するように折り曲げて、図７に示すような最終折り曲げ状態とすることにより、きわめてコンパクトに折り畳むことができる。
【００２２】
この場合、長さ調節用バンド片１３がその一端部１３ａで内側に折り曲げられているから、前記バンド本体部１１を折り曲げた際に該バンド本体部１１と長さ調節用バンド片１３との干渉を良好に回避することができる。
【図面の簡単な説明】
【００２３】
【図１】ヘッドホンの正面図である。
【図２】ヘッドホンの背面図である。
【図３】バンド本体部と長さ調節用バンド片及び連結部材の関連を示す一部除去した斜視図である。
【図４】鞘管部材と関節部材及び支持アームの関連を示す一部除去した斜視図である。
【図５】鞘管部材の断面図である。
【図６】ヘッドホンの中間折り畳み状態を示す正面図である。
【図７】ヘッドホンの最終折り畳み状態を示す正面図である。
【符号の説明】
【００２４】
１      ヘッドバンド部
２      ヘッドホン本体
３      取付部材
１１    バンド本体部
１２    連結部材
１３    長さ調節用バンド片
１４    鞘管部材
１５    関節部材
１６    支持アーム
【図１】
0003138079.tif 000003
【図２】
0003138079.tif 000004
【図３】
0003138079.tif 000005
【図４】
0003138079.tif 000006
【図５】
0003138079.tif 000007
【図６】
0003138079.tif 000008
【図７】
0003138079.tif 000009